(57)【要約】【課題】電気コネクタの提供。【解決手段】一種の電気コネクタ、主に絶縁本体、複数の端子、遮蔽ハウジング、及び接地板より構成する。そのうち、接地板は部材を板金方式により製作し、その両側に接触爪を設けるとことにより、接地板を絶縁本体に組合せた後、接触爪は該遮蔽ハウジングの後部端面に弾性締結して、接地接触の目的を実現する。【選択図】図４
0003127884.tif 000002
【実用新案登録請求の範囲】
【請求項１】
絶縁本体を長い矩形に設け、その前面は内側に延ばして挿接口を設け、
複数の端子を設け、該絶縁本体のスロットに配列し設け、
遮蔽ハウジング、該絶縁本体の外側に設け、
接地板は、連結部、接触爪及び複数のピンより構成し、該絶縁本体に設け、そのうち、該接触爪は該接地板の両側に設け、弾性に該遮蔽ハウジングの後部端面に締結することを特徴とする電気コネクタ。
【請求項２】
該接触爪はさらに、固定部と弾性アームを有し、該弾性アームは弾性により、該遮蔽ハウジングに締結することを特徴とする請求項１記載の電気コネクタ。
【請求項３】
該絶縁本体後部の両側より下方へ延ばして固定溝を設け、該接触爪の固定部は固定溝に挿入することを特徴とする請求項１記載の電気コネクタ。
【請求項４】
絶縁本体を長方形に設け、その前側より内面に延ばして挿接口を設け、該挿接口の両側に滑り溝をそれぞれに設け、複数の端子を該絶縁本体に設け、接地板を該絶縁本体に設け、連結部と連結部に配列された複数のピンより構成し、一対の締結部材を該絶縁本体内部に設け、該締結部材に開口部を設け、遮蔽ハウジングを該絶縁本体の外側に設け、その後部の両側に係止め部を設けて、該係止め部は滑り溝に支えて、締結部材を前記の滑り溝に制限することを特徴とする電気コネクタ。
【請求項５】
絶縁本体を長方形に設け、その前側より内面に延ばして挿接口を設け、該挿接口の両側に側面空間をそれぞれに設け、該側面空間にギャップを形成し、複数の端子を該絶縁本体に配列し、接地板を該絶縁本体に設け、連結部と連結部に配列された複数のピンより構成し、遮蔽ハウジングを該絶縁本体の外側を覆い、該遮蔽ハウジングの両側に逆U字形の締結部を設け、該締結部を該絶縁本体のギャップにはめ込み、該側壁に装入することを特徴とする電気コネクタ。
【考案の詳細な説明】
【技術分野】
【０００１】
本考案は一種の電気コネクタ構造、特に一種の小電圧差動信号表示インターフェスの電気コネクタに関わる。
【背景技術】
【０００２】
近年、パネル製品に幅広く使用されているソケットコネクタ、つまり、小電圧差動信号(Low Voltage Differential Signal, LVDS)コネクタは、電気回路板に半田付けした後、平形たわみケーブルに接続し、該平形たわみケーブルを電気回路板と電気接続する。その薄型化構造は、この種のコネクタの構造設計上、特に外層の金属製ハウジング、信号端子および接地部材の配置に大きく制限受けるほか、コネクタのクランプ力および素子と素子との連結強度も配慮しなければならない。通常、絶縁本体の強度を向上するため、外層の金属製ハウジングは、コネクタの絶縁本体の外側に覆う。さらに、外層の金属製ハウジングと接地部材と接触することにより、電磁波または静電気の影響を有効に軽減できる。図１に示すものは、公知技術の電気コネクタ構造の局部概略図である。主に絶縁体１、信号端子２、接地板３および金属ハウジング４より構成する電気コネクタにおいて、接地板３の片側より延ばして接地バネ部５を絶縁体１のノッチ６に設け、弾性により上方向の絶縁体１の側面に突き出す。ハウジング４を組み入れた後、接地バネ部５はハウジング４に支えて、ハウジング４と接地板３との間に電気導通を形成し、接地目的を実現する。しかしながら、図１に示す接触方式は、接地バネ部５の上向き弾性の角度が小さい場合、金属製ハウジングと接触ができない。さらに、接地板３の固定が不安定のとき、コネクタの挿抜を繰り返した後、接地板３の抜け出すなどの故障が発生する。
【考案の開示】
【考案が解決しようとする課題】
【０００３】
電気コネクタの安定接触を図る、一種の電気コネクタを提供することを本考案の一つの目的である。
【０００４】
コネクタ構造の簡素化、組み立て作業の単純化、生産不良率の軽減を図る、一種の電気コネクタを提供することを本考案のもう一つの目的である。
【０００５】
部品同士の組み立てによる変形の減少を図る、一種の電気コネクタを提供することを本考案のさらに一つの目的である
【課題を解決するための手段】
【０００６】
請求項１の考案は、絶縁本体を長い矩形に設け、その前面は内側に延ばして挿接口を設け、
複数の端子を設け、該絶縁本体のスロットに配列し設け、
遮蔽ハウジング、該絶縁本体の外側に設け、
接地板は、連結部、接触爪及び複数のピンより構成し、該絶縁本体に設け、そのうち、該接触爪は該接地板の両側に設け、弾性に該遮蔽ハウジングの後部端面に締結することを特徴とする電気コネクタとしている。
請求項２の考案は、該接触爪はさらに、固定部と弾性アームを有し、該弾性アームは弾性により、該遮蔽ハウジングに締結することを特徴とする請求項１記載の電気コネクタとしている。
請求項３の考案は、該絶縁本体後部の両側より下方へ延ばして固定溝を設け、該接触爪の固定部は固定溝に挿入することを特徴とする請求項１記載の電気コネクタとしている。
請求項４の考案は、絶縁本体を長方形に設け、その前側より内面に延ばして挿接口を設け、該挿接口の両側に滑り溝をそれぞれに設け、複数の端子を該絶縁本体に設け、接地板を該絶縁本体に設け、連結部と連結部に配列された複数のピンより構成し、一対の締結部材を該絶縁本体内部に設け、該締結部材に開口部を設け、遮蔽ハウジングを該絶縁本体の外側に設け、その後部の両側に係止め部を設けて、該係止め部は滑り溝に支えて、締結部材を前記の滑り溝に制限することを特徴とする電気コネクタとしている。
請求項５の考案は、絶縁本体を長方形に設け、その前側より内面に延ばして挿接口を設け、該挿接口の両側に側面空間をそれぞれに設け、該側面空間にギャップを成形し、複数の端子を該絶縁本体に配列し、接地板を該絶縁本体に設け、連結部と連結部に配列された複数のピンより構成し、遮蔽ハウジングを該絶縁本体の外側を覆い、該遮蔽ハウジングの両側に逆U字形の締結部を設け、該締結部を該絶縁本体のギャップにはめ込み、該側壁に装入することを特徴とする電気コネクタとしている。
【考案の効果】
【０００７】
本考案の電気コネクタは、主に長方形の絶縁本体を有し、その前側は内面に延ばして挿接口を設ける。複数の端子を該絶縁本体に設け、遮蔽ハウジングを該絶縁本体の外側を覆う。接地板は部材を板金方式により製作し、転結部、複数の端子及びその両側に接触爪を設ける。接地板を絶縁本体に組み立てた後、接触爪は該遮蔽ハウジングの後部端面に締結して、接触の目的を実現する。遮蔽ハウジングの両側はさらに逆U字形の締結部を設け、該絶縁本体に挿入した上、遮蔽ハウジングより係止めることにより、コネクタの固定効果を実現する。
【考案を実施するための最良の形態】
【０００８】
図２と図３は、本考案の電気コネクタの正方向、反対方向の組み立て図であり、図４は本考案のコネクタの立体分解図である。本考案の電気コネクタ１００は、主に絶縁本体１０、複数の端子２０、遮蔽ハウジング３０及び接地板４０より構成する。絶縁本体１０は長方形のプラスチック部材である。その前側１１は内面に延ばして挿接口１５(図２)を設け、突き合わせ継ぎ平形たわみケーブルを挿置して、挿接口１５の上下端面に複数のスロット１６を設ける。絶縁本体１０の後側１２は、下部列のスロット１６より下方へ延ばして固定溝１７を設け、挿接口１５の両側に絶縁本体１０の前側１１と後側１２を貫通した側面空間１８を設ける。このほか、側面空間１８の上部にギャップ１８１を設ける。
【０００９】
絶縁本体２０は絶縁本体１０にそれぞれ取り付けて、すべての端子２０に接触端２１、はんだ付け端２２、及び中間部２３を備える。組み立てのとき、端子２０は絶縁本体１０後部１２の方向より、接触端２１を上部列のスロット１６にそれぞれ挿入し、中間部２３と絶縁本体１０との間は干渉により固定する。はんだ付け端２２は絶縁本体１０後面１２の外部に露出させ、電気回路板と電気導通および固定する。
【００１０】
遮蔽ハウジング３０は金属部材を使用し、絶縁本体１０外部形状に合せて、筐体を設ける。遮蔽ハウジング３０の両側に逆U字形の締結部３１を設ける。その形状は遮蔽ハウジング３０の外部端面３１１より上方に延ばし、遮蔽ハウジング３０内部方向に屈折して湾曲部３１２を形成した上、下方へ延ばして内部端面３１３を形成する。さらに、内部端面３１３に開口部３１４を設けて、突き合わせ継ぎ平形たわみケーブルに締結する(図５局部拡大図)。遮蔽ハウジング３０に複数の切欠き３３を設けて、絶縁本体１０の突起部１９と干渉を形成する。
【００１１】
接地板４０は主に、連結部４１、複数のピン４２、及び締結部４３より構成する。そのうち、複数のピン４２は連結部４１両側の垂直方向より上方向に延ばして連結部４１両側に並列する。図６の局部拡大図に示すとおり、固定部４３１と湾曲形状の弾性アーム４３２を有する。組み立てのとき、接地板４０は絶縁本体１０後部１２の方向より取り付けて、それぞれのピン４２は下部列スロット１６位置に合せて挿入し、ピン４２と端子２０との接触端２１は挿接口１５において、向かい合わせる。平形たわみケーブルは挿接口１５５より挿入した後、接触端２１とピン２２により、上・下から挟まれる。
【００１２】
通常、組み立てるとき、遮蔽ハウジング３０は後部より絶縁本体１０の外部に組み込み、遮蔽ハウジング３０の湾曲部３１２はギャップ１８１を通し、内部端面３１３を側面空間１８の片側に固定する。突き合わせ継ぎ平形たわみケーブルに締結する内部端面３１３の開口部３１４は遮蔽ハウジング３０と一体化成型により、屈折して形成するため、締結性がきわめて良い。引き続き、端子２０と接地板４０を絶縁本体１０の上・下列スロット１６に挿入する。接地板４０を下部列のスロット１６に挿入した後、両側の接触爪４３に備える固定部４３１は絶縁本体１０の固定溝１７はめ込み、弾性アーム４３２も遮蔽ハウジング３０後部端面の上・下列のスロット１６に締結する。接地板４０を下部列のスロット１６に挿入した後、両側の接触爪４３に備える固定部４３１は絶縁本体１０の固定溝１７中にはめ込み、弾性アーム４３２は遮蔽ハウジング３０後部の端面に締結して、接触を形成する。この方式により、接地板４０の組み立てが簡単にでき、弾性アーム４３２の働きは、接地板４０と遮蔽ハウジング３０との弾性接触を与え、変形を軽減する。
【００１３】
前記した実施例のほか、本考案はその他の方式により締結部を組合せることもできる。図７に示すとおり、電気コネクタ２００は主に絶縁本体１０、複数の端子２０、遮蔽ハウジング３０及び接地板４０より構成する。前記した実施例の遮蔽ハウジング３０の逆U字形締結部材５０を独立に設け、絶縁本体１０の挿接口両側の側面空間１８内部に上下対称とした滑り溝１８２を設ける。組み立てるとき、二つの締結部材５０を側面空間１８内部の滑り溝１８２に押し込んだ後、遮蔽ハウジング３０は後部より絶縁本体１０の外部に組み込み、遮蔽ハウジング３０後部の係止め部３２より滑り溝１８２の後部に係止めて、締結部材５０の脱落を防止する。引き続き、端子２０と接地板４０を絶縁本体１０内部に組み込む。締結部材５０は独立部品のため、遮蔽ハウジング３０の構造を簡素化させ、生産工程の難度を軽減できるほか、締結部材５０の固定に影響がない。本実施例において、接地板４０と遮蔽ハウジング３０との間に接触爪４３により接触を実現する。このほか、締結部材５０に開口部５１を設けて、軟質突き合わせ継ぎ平形たわみケーブルを締結する。
【図面の簡単な説明】
【００１４】
【図１】公知技術の電気コネクタの局部概略図である。
【図２】本考案の実施例１の正方向立体図である。
【図３】本考案の実施例１の反対方向立体図である。
【図４】本考案の実施例１の立体図である。
【図５】本考案の遮蔽ハウジングの局部概略図である。
【図６】本考案の接地板の局部平面図である。
【図７】本考案の実施例２の立体分解図である。
【符号の説明】
【００１５】
１００、２００  電気コネクタ
１０  絶縁本体
１１  前側
１２  後側
１５  挿接口
１６  スロット
１７  固定溝
１８  側面空間
１８１  ギャップ
１８２  滑り溝
１９  突起部
２０  端子
２１  接触端
２２  はんだ付け端
２３  中間部
３０  遮蔽ハウジング
３１  締結部
３１１  外部端面
３１２  湾曲部
３１３  内部端面
３１４  開口部
３２  係止め部
３３  切欠き
４０  接地板
４１  連結部
４２  ピン
４３  接触爪
４３１  固定部
４３２  弾性アーム
５０  締結部材
５１  開口部
【図１】
0003127884.tif 000003
【図２】
0003127884.tif 000004
【図３】
0003127884.tif 000005
【図４】
0003127884.tif 000006
【図５】
0003127884.tif 000007
【図６】
0003127884.tif 000008
【図７】
0003127884.tif 000009